(57)【要約】【解決手段】ネットワーク接続通信処理装置は、接続されている通信接続選択設定ユニット及び内部インターフェースユニットを含む。ネットワーク接続通信処理システムは、ネットワーク接続通信処理装置と、ネットワーク接続通信処理装置に接続される外部通信モジュールと、複数のネットワーク接続設備とを有する。通信接続適応の方法は、ネットワーク接続設備が接続する場合、ネットワーク接続通信処理装置が、当該ネットワーク接続設備の利用可能な通信接続方式を確認するステップと、利用可能な通信接続方式により、ネットワーク接続設備のために通信接続方式を設定するステップと、接続方式に変化があった場合、ネットワーク接続通信処理装置は、もう１種の接続方式を選択して当該ネットワーク接続設備のために設定するステップとを有する。本発明に係るネットワーク接続通信処理装置は、イーサーネット、PLC 、無線等の接続方式を検出し、検出結果により接続方式を選択して適応することができる。又、１種の接続方式に中断が発生した場合に、素早く他の接続方式に切り替えられ、上位層通信の連続性を確保できる。
2010525690.tif 000002
【特許請求の範囲】
【請求項１】
内部ネットワーク及び外部通信ネットワークを接続する際の自動設定と自動切替とに用いる通信接続選択設定ユニットと、
前記通信接続選択設定ユニットに接続され、内部ネットワークにおけるネットワーク接続設備を接続する内部インターフェースユニットと
を有することを特徴とするネットワーク接続通信処理装置。
【請求項２】
前記通信接続選択設定ユニットに接続され、データ信号と電力搬送波信号とに対して変調復調操作を行い、及び前記データ信号と電力搬送波信号とに対してフィルタリングしたり搬送したりする電力線ネットワーク接続変復調ユニットを含む前記内部インターフェースユニットを有することを特徴とする請求項１記載のネットワーク接続通信処理装置。
【請求項３】
全てが前記通信接続選択設定ユニットに接続され、光信号に対して光電気信号変換を行う光ファイバーアクセスユニットと／又はイーサーネットにより内部ネットワークにおけるネットワーク接続設備を接続するイーサーネットインターフェースユニットと／又は無線方式で内部ネットワークにおけるネットワーク接続設備と通信する無線LAN アクセスポイントを更に含む前記内部インターフェースユニットを有することを特徴とする請求項２記載のネットワーク接続通信処理装置。
【請求項４】
対応する前記電力線ネットワーク接続変復調ユニット、光ファイバーアクセスユニット、前記イーサーネットインターフェースユニット、及び無線LAN アクセスポイントと全て接続され、内部ネットワークにおけるネットワーク接続設備が各種の方式で送信された信号を検出する複数の信号検出ユニットと、
前記複数の信号検出ユニットに接続され、内部ネットワークにおけるネットワーク接続設備から送信された信号を確認する接続確認ユニットと、
前記接続確認ユニットに接続され、対応する接続方式を選択して、内部ネットワーク及び外部ネットワークを接続する接続選択ユニットと、
前記接続選択ユニットに接続され、接続方式の優先度パラメータを保存する選択設定ファイルユニットと
を含む前記通信接続選択設定ユニットを有することを特徴とする請求項３記載のネットワーク接続通信処理装置。
【請求項５】
前記ネットワーク接続通信処理装置の通信接続選択設定ユニットに接続され、内部のイーサーネット信号を処理し、イーサーネット信号及び外部ネットワーク信号の変換を実行する外部通信モジュールと、
前記ネットワーク接続通信処理装置の内部インターフェースユニットに接続される複数のネットワーク接続設備と
を更に有することを特徴とする請求項１ないし４の何れか記載のネットワーク接続通信処理システム。
【請求項６】
それぞれと前記複数のネットワーク接続設備に接続され、内部電力網を介して、前記内部インターフェースユニットに含まれた電力線ネットワーク接続変復調ユニットに接続され、データ信号と電力搬送波信号に対して変復調動作を行う複数の電力線ネットワーク接続モデムを更に有することを特徴とする請求項５記載のネットワーク接続通信処理システム。
【請求項７】
外部電力網と内部電力網との間で設置され、電力線における低周波数電流信号と高周波数データ信号とを隔離する電力線ネットワーク接続信号アイソレータを更に有することを特徴とする請求項５記載のネットワーク接続通信処理システム。
【請求項８】
ネットワーク接続設備がネットワーク接続通信処理システムに接続する場合に、ネットワーク接続通信処理装置は、前記ネットワーク接続設備の利用可能な通信接続方式を確認するステップ１と、
前記ネットワーク接続通信処理装置は、予め設定された優先度パラメータにより、前記利用可能な通信接続方式の中から、１種の通信接続方式を選択すると共に、選択された当該通信接続方式により、当該ネットワーク接続設備及び外部ネットワークを接続するステップ２と、
前記ネットワーク接続設備に、接続方式の変化を検出した場合に、前記ネットワーク接続通信処理装置は、前記予め設定された優先度パラメータにより、もう１種の利用可能な通信接続方式を再選択すると共に、当該再選択された通信接続方式により、当該ネットワーク接続設備及び外部ネットワークを接続するステップ３と
を有することを特徴とする通信接続適応方法。
【請求項９】
ネットワーク接続設備が、内部インターフェースユニットを介して、ネットワーク接続信処理システムに接続される場合に、信号検出ユニットは、前記ネットワーク接続設備の接続信号を検出し、接続確認ユニットに報告し、前記接続確認ユニットにより、前記ネットワーク接続設備の利用可能な通信接続方式を確認する前記ステップ１を有することを特徴とする請求項８記載の方法。
【請求項１０】
接続選択ユニットは、選択設定ファイルユニットに保存された、予め設定された優先度パラメータにより、前記利用可能な通信接続方式の中から対応する通信接続方式を選択し、内部ネットワークにおける当該ネットワーク接続設備及び外部ネットワークを接続する前記ステップ２を有することを特徴とする請求項８記載の方法。
【請求項１１】
前記ステップ１の前に、接続方式又は帯域幅の要求によりイーサーネット接続と電力線ネットワーク接続と無線接続との優先順位を設定し、前記選択設定ファイルユニットに保存する優先度設定のプロセスを更に有することを特徴とする請求項８記載の方法。
【請求項１２】
信号検出ユニットが、前記ネットワーク接続設備の接続方式に変化があったことを検出した場合、前記接続選択ユニットは、前記予め設定された優先度パラメータにより、もう１種の利用可能な通信接続方式を再選択して接続し、又は、ユーザからの指令を受け入れ、強制的に低優先度の通信接続方式を利用して、接続を確立する前記ステップ３を有することを特徴とする請求項８記載の方法。
【発明の詳細な説明】
【技術分野】
【０００１】
本発明は、ネットワーク接続通信処理装置とシステム、及び通信接続適応の方法に関わる。特に、ネットワーク接続設備の通信方式を自動確認することにより、自己適応型の接続を行うネットワーク接続通信処理装置とシステム、及びネットワーク接続通信処理装置を利用して通信の接続・適応を行う方法に関する。
【背景技術】
【０００２】
情報時代の到来とネットワーク技術の進化とに伴い、インテリジェントホームネットワークの構築が本格的になっている。家電又は他の電気設備相互間をネットワークで結ぶことにより、多様性、快適性、安全性に富んだサービスを提供できるホームネットワークがより多くの当業者の研究対象である。宅内外の情報交換は重要な課題の１つとなり、移動通信ネットワークを通して、外出先から宅内の家電機器を便利に管理できる仕組みの中に、ホームゲートウェイ装置が期待されている。
【０００３】
ホームゲートウェイ装置は宅内外のネットワークを繋げる物理的なインターフェースであり、また、ユーザに多彩なライフ系サービス（現在のサービスと未来に可能なサービスとを含む）を提供できるプラットフォームである。ホームゲートウェイによれば、宅外の通信信号を受信し、ホームネットワークを経由して宅内の電器に送信できる。ホームゲートウェイ装置は、ハイスピードインターネットアクセスへの応用のみならず、家庭ブロードバンド化の推進に伴い、音声及び映像を統合したテレビ電話やオンラインゲーム等のエンタテイメントサービスの提供にも期待されている。ホームゲートウェイ装置はダイナミックルーティングアルゴリズムを実行することにより、異なる情報フロー（データ）を電話機やインテリジェント家電、デジタルテレビ、セットコンポ等の宅内機器に伝達できる。例えば、ハイレベルのホームゲートウェイ装置によれば、発信者ID情報を利用して外線電話を宅内の特定な電話機に配信させ、子供への電話を子供の部屋だけに配信、又は、夜１０時以後の外線電話（緊急電話を除く）をベッドルームより離れた所にある電話機だけに配信させることを可能にする。
【先行技術文献】
【特許文献】
【０００４】
【特許文献１】中華人民共和国特許第１４８１１２８号明細書
【発明の開示】
【発明が解決しようとする課題】
【０００５】
従来のホームゲートウェイ装置は、主に集中式なホームゲートウェイで、内部と外部の通信接続を統一管理する。通常、１つ又は複数の内部接続方式を備える。例えば、イーサーネットインターフェースと無線LAN インターフェース等を備える。ユーザは、イーサーネット又は無線方式を介して、１台のネットワーク接続設備をホームゲートウェイ装置に接続する場合に、よく固定的な接続方式を利用する。中断が発生した場合、上位層のアプリケーションはその中断のせいで中止するため、ユーザは自分で他の接続方式に切り替えなければならない。操作上の複雑性が増加するだけではなく、中断前に行われていた上位層通信も続けられなくなる。
【０００６】
本発明の目的は、従来のネットワーク接続通信処理の欠陥に対して、ネットワーク接続設備の接続方式に故障があった場合、有線また無線の切換により内部通信を実現させるネットワーク接続通信処理装置とシステム、及び通信接続適応方法を提供することにある。
【課題を解決するための手段】
【０００７】
上述の目的を達成するため、本発明に係るネットワーク接続通信処理装置は、
内部ネットワークと外部通信ネットワークを接続する場合、自動設定と自動切替をする通信接続選択設定ユニットと、
前記通信接続選択設定ユニットに接続され、内部ネットワークにおけるネットワーク接続設備を接続する内部インターフェースユニットと
を有することを特徴とするネットワーク接続通信処理装置である。
【０００８】
上述した技術における前記内部インターフェースユニットは、前記通信接続選択設定ユニットに接続され、データ信号と電力搬送波信号とに対して変復調操作を行い、又は、データ信号と電力搬送波信号とに対してフィルタリングしたり、及び搬送したりする電力線ネットワーク接続変復調ユニットを含む。更に、全ては前記通信接続選択設定ユニットに接続される光ファイバーアクセスユニットと／又はイーサーネットインターフェースユニットと／又は無線LAN アクセスポイントを含むこともできる。前記光ファイバーアクセスユニットは、光信号に対して光電気信号変換を行い、電気信号を取得して通信を行うことに用いる。前記イーサーネットインターフェースユニットは、イーサーネットを介して内部ネットワークにおけるネットワーク接続設備を接続することに用いる。前記無線LAN アクセスポイントは、無線方式を介して、内部ネットワークにおけるネットワーク接続設備と通信することに用いる。
【０００９】
前記通信接続選択設定ユニットは更に、
対応する前記電力線ネットワーク接続変復調ユニットと、前記光ファイバーアクセスユニットと／又は前記イーサーネットインターフェースユニットと／又は無線LAN アクセスポイントの全てに接続され、内部ネットワークにおけるネットワーク接続設備が各種の方式で送信された信号を検出する複数の信号検出ユニットと、
前記複数の信号検出サブユニットに接続され、内部ネットワークにおける接続信号を認識する接続認識ユニットと、
前記接続認識ユニットに接続され、対応する接続方式を選択して内部ネットワークと外部ネットワークとの接続をさせ、前記接続選択ユニットに接続され、接続選択ユニットに接続方式の優先度選択配置を提供する選択設定ファイルと
を含むことを特徴とする。
【００１０】
上記の目的を達成するため、本発明は又、前記ネットワーク接続通信処理装置を含むネットワーク接続通信処理システムを提供する。当該システムは更に、
前記ネットワーク接続通信処理装置の通信接続選択設定ユニットに接続され、内部イーサーネット信号を処理し、イーサーネット信号及び外部ネットワーク信号の変換を実行する外部通信モジュールと、
前記ネットワーク接続通信処理装置の内部インターフェースユニットに接続される複数のネットワーク接続設備と
を有することを特徴とする。
【００１１】
上述した技術におけるネットワーク接続通信処理システムは更に、前記複数のネットワーク接続設備に接続され、前記内部インターフェースユニットに含まれた電力線ネットワーク接続変復調ユニットと、内部電力網を介して接続され、データ信号及び電力搬送波信号に対して変復調動作を行う電力線ネットワーク接続モデムとを有する。更にまた、外部電力網と内部電力網との間で設置され、電力線線路に載せられている低周波数電流信号と高周波数データ信号とを隔離する電力線ネットワーク接続信号アイソレータを有しても良い。
【００１２】
上記の目的を達成するため、本発明に係る通信接続適応方法は、
ネットワーク接続設備がネットワーク接続通信処理システムに接続してきた場合、ネットワーク接続通信処理装置は、前記ネットワーク接続設備の利用可能な通信接続方式を確認するステップ１と、
前記ネットワーク接続通信処理装置は、優先度パラメータの利用可能な通信接続方式により、予め設定された優先度パラメータに従って設置し、同時に接続するステップ２と、
前記ネットワーク接続設備の接続方式に変化があったことを検出した場合、前記ネットワーク接続通信処理装置は、前記予め設定された優先度パラメータにより、もう１種の利用可能な通信接続方式を選択して接続するステップ３と
を有することを特徴とする通信接続適応方法である。
【００１３】
上述した技術に係る通信接続適応方法は、
ネットワーク接続設備が内部インターフェースユニットを介して、ネットワーク接続通信処理システムに接続する場合に、信号検出サブユニットは、前記ネットワーク接続設備の接続信号を検出し、接続確認ユニットに報告し、前記接続確認ユニットにより、前記ネットワーク接続設備の利用可能な通信接続方式を確認する前記ステップ１と、
接続選択ユニットは、選択設定ファイルユニット優先度パラメータの利用可能な通信接続方式と、選択設定ファイルユニットに保存された、予め設定された優先度パラメータにより、それに対応する方式とを選択し、内部ネットワーク及び外部ネットワークを接続する前記ステップ２と、
信号検出ユニットは、前記ネットワーク接続設備の接続方式に変化があったことを検出した場合、前記接続選択ユニットは、前記予め設定された優先度パラメータにより、もう１種の利用可能な通信接続方式を選択し、又はユーザの指令に従って低優先度の通信接続方式を強制的に採用して接続する前記ステップ３と、
前記ステップ１の前に、更に接続方式と帯域幅の要求により、イーサーネット接続と電力線ネットワーク接続と無線LAN 接続との接続優先度を設定し、前記選択設定ファイルユニットに保存する優先度設定のプロセスと
を有することを特徴とする通信接続適応方法である。
【００１４】
上述した技術に基づいた本発明は、次の効果を有する。
ネットワーク接続通信処理装置により、イーサーネット接続、PLC 接続、無線LAN 接続等の接続方式を検出し、検出結果により接続方式を選択・適応することができる。その中の１種の接続方式が中断された場合、ネットワーク接続通信処理装置は素早く他の接続方式に切り替えられ、上位層通信の連続性を保証することができる。
【図面の簡単な説明】
【００１５】
【図１】本発明に係るネットワーク接続通信処理装置の基本構成を示すブロック図である。
【図２】本発明に係るネットワーク接続通信処理装置の詳細構成を示すブロック図である。
【図３】本発明に係るネットワーク接続通信処理システムの実施例の構成を示すブロク図である。
【図４】本発明に係る通信接続適応方法のフローチャートを示すブロック図である。
【発明を実施するための形態】
【００１６】
以下、図面と実施例を通じて、本発明の技術を詳細に説明する。
【００１７】
本発明は、新型のネットワーク接続通信処理装置を利用して家庭内部ネットワーク接続用のネットワーク接続通信処理システムを構築している。複数の有線・無線の接続方式を選択できると共に、各種の外部ネットワークと通信・接続でき、外部から内部ネットワークに対する制御の柔軟性を実現する。又、接続切替能力を具備するため、接続方式に故障があった通信設備を検出すると、他の利用可能な通信接続方式に自己適応・自動切換でき、制御の連続性を実現する。
【００１８】
図１は、本発明に係るネットワーク接続通信処理装置の基本構成を示すブロック図である。ネットワーク接続通信処理装置１は、内部ネットワーク接続を構築する内部インターフェースユニット１３と、中心コンポーネントとして、内部インターフェースユニット１３に接続され、通信接続の自動設定・切替を行う通信接続選択設定ユニット１２（ブロック図は図２に示す）という２つの基本要素から構成される。内部インターフェースユニット１３は、内部ネットワーク接続設備の状況により設定でき、PLC （Power Line Communication, 電力線ネットワーク接続）変復調ユニット１３１、イーサーネットインターフェース１３２、WLAN AP １３３及び光ファイバーアクセスユニット１３４等を含むことができる。前記コンポーネントの選択は通常、内部ネットワーク接続設備の接続能力と接続状況とに関連する。例えば、内部ネットワークは単一な接続方式を利用している場合、PLC 変復調ユニット１３１のみを含む内部インターフェースユニット１３を採用できる。電力線が隅々まで配線されている一般の家庭において、電力線によるデータ伝送は、コンセントに繋ぐだけで容易に実現できる技術で、利便性が極めて高い。PLC 変復調ユニット１３１は、データ信号及び電力搬送波信号に対する変復調動作を実行する。
【００１９】
複数の内部ネットワーク接続方式がある場合、例えば、内部ネットワークに、イーサーットインターフェースを備える通信設備、又は無線LAN インターフェースを備える通信設備が存在する場合、PLC 変復調ユニット１３１とイーサーネットインターフェースユニット１３２とを含めた内部インターフェースユニット１３を採用できる。イーサーネットインターフェースユニット１３２によれば、イーサーネット方式でネットワーク接続設備を接続できる。前記通信接続選択設定ユニット１２は、予め設定された優先度パラメータにより、PLC 接続方式とイーサーネット接続方式とのどちらかを選択する。又は、イーサーネットインターフェース１３２及びWLAN AP １３３を含めた内部インターフェースユニット１３を採用しても良い。その場合の通信接続選択設定ユニット１２は、イーサーネット接続とWLAN接続とのどちらかを選択する。WLAN AP １３３によれば、無線方式で内部ネットワークにおけるネットワーク接続設備と通信できる。光ファイバーアクセスに対応するネットワーク接続設備もある場合、光ファイバーアクセスユニット１３４を内部インターフェースユニット１３に追加し、光ファイバー接続方式を通信接続選択設定ユニットの１つの選択肢にすることもできる。
【００２０】
図２は、本発明に係るネットワーク接続通信処理装置の詳細構成を示すブロック図でる。通信接続選択設定ユニット１２は、内部インターフェースユニット１３に含まれたPLC 変復調ユニット１３１、イーサーネットインターフェース１３２、WLAN AP １３３及び光ファイバーアクセスユニット１３４等にそれぞれ接続され、内部ネットワークにおけるネットワーク接続設備が送信された信号を検出する複数の信号検出ユニット１２１と、信号検出ユニット１２１に接続され、ネットワーク接続設備の接続信号を確認し、当該ネットワーク接続設備の利用可能な接続方式を取得する接続確認ユニット１２２と、PLC 方式やイーサーネット方式や光ファイバーアクセス方式の利用優先度の選択設定を保存する選択設定ファイルユニット１２３と、接続確認ユニット１２２と選択設定ファイルユニット１２３に接続され、選択設定ファイルユニット１２３により対応する接続方式を選択し、内部ネットワーク及び外部ネットワークを接続する接続選択ユニット１２４とを含む。
【００２１】
図３は、本発明に係るネットワーク接続通信処理システムの実施例の構成を示すブロック図である。当該ネットワーク接続通信処理システムは、ネットワーク接続通信処理装置１を中心として、外部通信モジュールと家庭内部のネットワーク接続設備とを接続している。ユーザまたアプリケーションプラットフォームは、外部通信モジュールを介してホームネットワークを制御・管理できるため、ホームネットワークの制御能力が外部まで延長されている。外部ネットワークの種類が非常に多くて、例えば、ADSLアクセスシステム、イーサーネットアクセスシステム、光ファイバーアクセスシステム、無線ブロードバンドアクセスシステム、ケーブルテレビシステム、住宅団地ネットワーク接続サービスシステム及び固定電話線アクセスシステム等がある。上記全ての外部ネットワークは、外部通信モジュール２により、ホームネットワークに接続できる。外部通信モジュール２は、内部イーサーネット信号を処理する能力を備え、イーサーネット信号及び外部ネットワーク信号の相互変換を実行できる。
【００２２】
内部ネットワークは、複数のネットワーク接続設備１〜ｎから構成される。ネットワーク接続設備は、パーソナルコンピュータ、セットコンポ・テレビ、撮影カメラ・マルチメディア通信設備等の端末設備であっても良い。ネットワーク接続通信処理装置１に接続する場合に、接続方式はネットワーク接続通信処理装置１の内部インターフェースユニット１３の構成により設定できる。内部インターフェースユニット１３がイーサーネットインターフェース１３２を含む場合、ネットワーク接続設備３′は、カテゴリー５ツイストペア線を介してイーサーネットインターフェース１３２に接続できる。カテゴリー５ツイストペア線を利用する有線方式は、高速及び高帯域幅の長所を備えるため、汎用な接続設定としても良い。内部インターフェースユニット１３がWLAN AP １３３を含む場合、ネットワーク接続設備３″は無線方式でWLAN AP １３３に接続できる。内部インターフェースユニットは、光ファイバーアクセスユニット１３４を含む場合、光ファイバーアクセス方式で接続できる。
【００２３】
しかし、カテゴリー５ツイストペア線の配線作業は複雑度が高く、ネットワーク接続設備は無線通信能力を備えない可能性もあるため、既に整備されている電力線回線は、非常によい選択肢となる。家庭内部で、一番広く配線されている有線伝達メディアとして、低妨害性及び短伝送距離の特性があり、１００Mbpsの帯域幅の要求に満足でき、電源接続が必要とする大多数のネットワーク接続設備に対して、PLC 方式を採用して通信を行うことも考えられる。
【００２４】
PLC 方式で通信する場合に、ネットワーク接続設備３から送出されたデータ信号は、PLC モデム４を介して、電力搬送波信号に変調されてから、電力線回線に載せされる。変調後の電力搬送波信号は、電力線搬送波により、内部インターフェースユニットに伝達される。内部インターフェースユニットに含まれたPLC 変復調ユニットは、電力搬送波信号を受信し、フィルターして、データ信号のオリジナル信号を取得すると共に、データ信号のオリジナル信号をデータ信号に復調してから通信接続選択設定ユニットに送信する。ネットワーク接続設備３の信号受信プロセスは上記信号送信プロセスの逆プロセスであるため、説明は省略する。又、PLC 信号アイソレータ５が外部電力網及び家庭の間に設置され、低周波数電流と高周波数PLC 信号とを隔離し、高周波数PLC 信号の外部ネットワークへの出力及び外部高周波数PLC 信号がホームネットワークへの進入を阻止する。
【００２５】
図４は本発明に係る通信接続適応方法を示すフローチャートである。
ネットワーク接続設備がネットワーク接続通信処理システムに接続する場合に、ネットワーク接続通信処理装置は、前記ネットワーク接続設備の利用可能な通信接続方式を確認するステップ２０１と、
優先度パラメータネットワーク接続通信処理装置は、前記利用可能な通信接続方式により、予め設定された優先度パラメータに従って設定するステップ２０２と、
ネットワーク接続設備の接続方式に変化があった場合、ネットワーク接続通信処理装置は、予め設定された優先度パラメータにより、もう１種の利用可能な通信接続方式を選択して、接続を確立するステップ２０３と
を有することを特徴とする通信接続適応方法である。
【００２６】
本発明に係るネットワーク接続通信処理装置を利用し、ネットワーク接続設備に対して通信接続適応を行う前に、ネットワーク接続通信処理装置に、接続方式の優先度パラメータを設定する必要がある。
【００２７】
ステップ２０１において、ネットワーク接続設備は、ネットワーク接続通信処理装置の部インターフェースユニットにより、ネットワーク接続通信処理システムに接続する。例えば、パソコンがネットワーク接続通信処理システムに接続する場合、信号検出サブユニットは、パソコンの接続信号を検出し、ネットワーク接続通信処理装置の接続確認ユニットに通知する。接続確認ユニットは、パソコンの利用可能な通信接続方式を確認する。通常、イーサーネット接続方式が利用できるが、PLC ネットワークインターフェースカード、又は無線ネットワークインターフェースカード等の対応な通信接続部品が搭載される場合、接続確認ユニットは、それらの接続方式を利用可能な通信接続方式とする。ネットワーク接続設備がネットワーク接続通信処理システムに接続する場合、登録の方式でVLAN TAG標識を取得できる。それにより、外部設備がホームネットワークにおけるネットワーク接続設備へアクセスする際のセキュリティポリシー制御を実現する。
【００２８】
ステップ２０２において、ネットワーク接続通信処理装置の接続選択ユニットは、接続確認ユニットで確認された利用可能な通信接続方式と、予め設定された接続方式との優先度パラメータにより、確定された制御方式信号を選択する。選択された制御方式信号により、対応する接続方式を選択し、ホームネットワーク及び外部ネットワークを接続する。例を挙げて説明すると、ネットワーク接続通信処理装置がPLC 、ツイストペア線、WLANの３種の接続方式に対応する場合、この３種の方式は、合わせて８種の接続方式確認ワードを構成できる。「１」で利用可能を表示する。「０」で利用不可を表示する。接続確認ユニットは、PLC 、ツイストペア線、WLANのすべてに対応できるパソコンであることを確認できた場合、接続方式確認ワード「１１１」が構成される。パソコンはツイストペア線のみに対応する場合、接続方式確認ワードは「０１０」となる。そのような接続方式確認ワードは、接続確認ユニットにより接続選択ユニットに送信された後、接続選択ユニットは、接続方式の優先度パラメータにより、確定された制御方式信号を選択する。
【００２９】
接続方式の優先度パラメータは、通常、予め設定されたもので、メーカーより出荷時に設定されても良いし、ユーザ自身で設定されても良い。例えば、ユーザは、家庭内の設置状況により、各種接続方式の優先度を確定する。優先度の設定情報は、選択設定ファイルユニットに保存され、接続選択ユニットにより呼び出される。例えば、一番優先度が高いのはツイストペア線で、その次はPLC で、最後はWLANである。強制的に接続方式を変換するという強制変換の状態において、制御ワードにより制御方式信号を選択する。
【００３０】
ステップ２０３において、ネットワーク接続設備の接続方式は、現在の接続方式が、何の原因（停電、接続切断、ソフトウェア又はハードウェア故障等の原因）で中断され、変化が起きた場合、ネットワーク接続通信処理装置は、予め設定された接続方式の優先度パラメータにより、もう１種の接続方式を選択し、ネットワーク接続設備のために再設定できる。又、ユーザから強制的に指定された低優先度の通信接続方式を受け入れることもできる。また前記パソコンの例で説明すると、ツイストペア線方式でネットワーク接続を行っている場合、ネットワーク接続中断が発生すると、接続方式は、自動的にPLC 方式に切り替えられる。接続が確立できなければ、その次のWLAN方式に切り替えられる。又、直接にWLAN方式に切り替えるように、ユーザから指定することもできる。
【００３１】
内部ネットワーク及び外部ネットワークを接続する目的は、主に、外部から内部に対する御を達成することにある。ユーザは、固定電話網又は携帯電話網を介して、ホームネットワーク内の各種の家電機器を制御する。例えば、固定電話をダイヤルして発信することにより、通信インターフェース搭載の、無人管理状態にある洗濯機やエアコンの起動及び停止を制御する。又は、携帯電話により、家庭内の温度、湿度を確認して、エアコンの温度を調整することにより、室内の快適性を保証する等の適用が可能である。
【００３２】
本発明に係るネットワーク接続通信処理装置は、ホームゲートウェイ装置に統合され、ホームネットワークに用いられる以外に、LAN 内部での選択接続適応にも用いられる。同様に、LAN 内部で、１種の接続方式が中断された場合、素早く他の接続方式に切り替えさせ、上位層通信の連続性を確保する。
【００３３】
最後に注意するべきことは、上記実施例は本発明の技術的な解決手段の説明だけで、技術上の制限にはならない。本明細書では上述した実施例を参照し本発明を詳しく解説したが、当業者によって、上述した技術的な解決手段を改造し、またはその中の一部の技術要素を置換することもできる。そのような改造及び置換は本発明の各実施例の技術の範囲から逸脱するとは見なされない。
【図１】
2010525690.tif 000003
【図２】
2010525690.tif 000004
【図３】
2010525690.tif 000005
【図４】
2010525690.tif 000006
【手続補正書】
【提出日】平成21年11月2日(2009.11.2)
【手続補正１】
【補正対象書類名】明細書
【補正対象項目名】全文
【補正方法】変更
【補正の内容】
【発明の詳細な説明】
【技術分野】
【０００１】
本発明は、ネットワーク接続通信処理装置とシステム、及び通信接続適応の方法に関わる。特に、ネットワーク接続設備の通信方式を自動確認することにより、自己適応型の接続を行うネットワーク接続通信処理装置とシステム、及びネットワーク接続通信処理装置を利用して通信の接続・適応を行う方法に関する。
【背景技術】
【０００２】
情報時代の到来とネットワーク技術の進化とに伴い、インテリジェントホームネットワークの構築が本格的になっている。家電又は他の電気設備相互間をネットワークで結ぶことにより、多様性、快適性、安全性に富んだサービスを提供できるホームネットワークがより多くの当業者の研究対象である。宅内外の情報交換は重要な課題の１つとなり、移動通信ネットワークを通して、外出先から宅内の家電機器を便利に管理できる仕組みの中に、ホームゲートウェイ装置が期待されている。
【０００３】
ホームゲートウェイ装置は宅内外のネットワークを繋げる物理的なインターフェースであり、また、ユーザに多彩なライフ系サービス（現在のサービスと未来に可能なサービスとを含む）を提供できるプラットフォームである。ホームゲートウェイによれば、宅外の通信信号を受信し、ホームネットワークを経由して宅内の電器に送信できる。ホームゲートウェイ装置は、ハイスピードインターネットアクセスへの応用のみならず、家庭ブロードバンド化の推進に伴い、音声及び映像を統合したテレビ電話やオンラインゲーム等のエンタテイメントサービスの提供にも期待されている。ホームゲートウェイ装置はダイナミックルーティングアルゴリズムを実行することにより、異なる情報フロー（データ）を電話機やインテリジェント家電、デジタルテレビ、セットコンポ等の宅内機器に伝達できる。例えば、ハイレベルのホームゲートウェイ装置によれば、発信者ID情報を利用して外線電話を宅内の特定な電話機に配信させ、子供への電話を子供の部屋だけに配信、又は、夜１０時以後の外線電話（緊急電話を除く）をベッドルームより離れた所にある電話機だけに配信させることを可能にする。
【先行技術文献】
【特許文献】
【０００４】
【特許文献１】中華人民共和国特許第１４８１１２８号明細書
【発明の開示】
【発明が解決しようとする課題】
【０００５】
従来のホームゲートウェイ装置は、主に集中式なホームゲートウェイで、内部と外部の通信接続を統一管理する。通常、１つ又は複数の内部接続方式を備える。例えば、イーサーネットインターフェースと無線LAN インターフェース等を備える。ユーザは、イーサーネット又は無線方式を介して、１台のネットワーク接続設備をホームゲートウェイ装置に接続する場合に、よく固定的な接続方式を利用する。中断が発生した場合、上位層のアプリケーションはその中断のせいで中止するため、ユーザは自分で他の接続方式に切り替えなければならない。操作上の複雑性が増加するだけではなく、中断前に行われていた上位層通信も続けられなくなる。
【０００６】
本発明の目的は、従来のネットワーク接続通信処理の欠陥に対して、ネットワーク接続設備の接続方式に故障があった場合に、自動的に他の接続方式に切り替えられるネットワーク接続通信処理装置とシステム、及び通信接続適応方法を提供することにある。
【課題を解決するための手段】
【０００７】
上述の目的を達成するため、本発明に係るネットワーク接続通信処理装置は、内部ネットワークと外部通信ネットワークを接続する場合、自動設定と自動切替をする通信接続選択設定ユニットと、前記通信接続選択設定ユニットに接続され、内部ネットワークにおけるネットワーク接続設備を接続する内部インターフェースユニットとを有することを特徴とするネットワーク接続通信処理装置である。
【０００８】
上述した技術における前記内部インターフェースユニットは、前記通信接続選択設定ユニットに接続され、データ信号と電力搬送波信号とに対して変復調操作を行い、又は、データ信号と電力搬送波信号とに対してフィルタリングしたり、及び搬送したりする電力線ネットワーク接続変復調ユニットを含む。更に、全ては前記通信接続選択設定ユニットに接続される光ファイバーアクセスユニットと、又はイーサーネットインターフェースユニットと、又は無線LAN アクセスポイントとを含むこともできる。前記光ファイバーアクセスユニットは、光信号に対して光電気信号変換を行い、電気信号を取得して通信を行うことに用いる。前記イーサーネットインターフェースユニットは、イーサーネットを介して内部ネットワークにおけるネットワーク接続設備を接続することに用いる。前記無線LAN アクセスポイントは、無線方式を介して、内部ネットワークにおけるネットワーク接続設備と通信することに用いる。
【０００９】
前記通信接続選択設定ユニットは更に、対応する電力線ネットワーク接続変復調ユニットと、前記光ファイバーアクセスユニットと、又は前記イーサーネットインターフェースユニットと、又は無線LAN アクセスポイントとの全てに接続され、内部ネットワークにおけるネットワーク接続設備が各種の方式で送信された信号を検出する複数の信号検出ユニットと、前記複数の信号検出ユニットに接続され、既に検出された、内部ネットワークにおけるネットワーク接続設備が各種の方式で送信された信号に対して確認し、更にネットワーク接続設備毎の利用可能な接続方式を確認する接続確認ユニットと、接続選択ユニットに接続され、接続選択ユニットに接続方式の優先度情報を提供する選択設定ファイルユニットと、前記接続確認ユニット及び前記選択設定ファイルユニットに接続され、保存された接続方式の優先度情報により、ネットワーク接続設備毎に対して、既に確認されたネットワーク接続設備毎の利用可能な接続方式の中から、１種の接続方式を選択し、内部ネットワークにおける当該ネットワーク接続設備を外部ネットワークに接続する接続選択ユニットとを含むことを特徴とする。
【００１０】
上述の目的を達成するため、本発明は又、前記ネットワーク接続通信処理装置を含むネットワーク接続通信処理システムを提供する。当該システムは更に、前記ネットワーク接続通信処理装置の通信接続選択設定ユニットに接続され、内部イーサーネット信号を処理し、イーサーネット信号及び外部ネットワーク信号の変換を実行する外部通信モジュールと、前記ネットワーク接続通信処理装置の内部インターフェースユニットに接続される複数のネットワーク接続設備とを有することを特徴とする。
【００１１】
上述した技術におけるネットワーク接続通信処理システムは更に、前記複数のネットワーク接続設備に接続され、前記内部インターフェースユニットに含まれた電力線ネットワーク接続変復調ユニットと、内部電力網を介して接続され、データ信号及び電力搬送波信号に対して変復調動作を行う電力線ネットワーク接続モデムとを有する。更にまた、外部電力網と内部電力網との間で設置され、電力線線路に載せられている低周波数電流信号と高周波数データ信号とを隔離する電力線ネットワーク接続信号アイソレータを有しても良い。
【００１２】
上述の目的を達成するため、本発明に係る通信接続適応方法は、ネットワーク接続設備がネットワーク接続通信処理システムに接続してきた場合、ネットワーク接続通信処理装置は、前記ネットワーク接続設備の利用可能な通信接続方式を確認するステップ１と、前記ネットワーク接続通信処理装置は、予め設定された優先度情報により、前記利用可能な通信接続方式の中から、１種の通信接続方式を選択し、当該選択された通信接続方式により、当該ネットワーク接続設備及び外部ネットワークを接続するステップ２と、前記ネットワーク接続設備の接続方式に変化があったことを検出した場合、前記ネットワーク接続通信処理装置は、前記予め設定された優先度情報により、もう１種の利用可能な通信接続方式を再選択し、当該再選択された通信接続方式により、当該ネットワーク接続設備及び外部ネットワークを接続するステップ３とを有することを特徴とする通信接続適応方法である。
【００１３】
上述した技術に係る通信接続適応方法は、ネットワーク接続設備が内部インターフェースユニットを介して、ネットワーク接続通信処理システムに接続する場合に、信号検出サブユニットは、前記ネットワーク接続設備の接続信号を検出し、接続確認ユニットに報告し、前記接続確認ユニットにより、前記ネットワーク接続設備の利用可能な通信接続方式を確認する前記ステップ１と、接続選択ユニットは、選択設定ファイルユニットに保存された、予め設定された優先度情報により、前記利用可能な通信接続方式の中から、１種の通信接続方式を選択し、内部ネットワークにおける当該ネットワーク接続設備及び外部ネットワークを接続する前記ステップ２と、信号検出ユニットは、ネットワーク接続設備の接続方式に変化があったことを検出した場合、前記接続選択ユニットは、前記予め設定された優先度情報により、もう１種の利用可能な通信接続方式を再選択し、又はユーザの指令に従って低優先度の通信接続方式を強制的に採用し、当該再選択された通信接続方式、又は強制的に採用された通信接続方式により、当該ネットワーク接続設備及び外部ネットワークを接続する前記ステップ３と、前記ステップ１の前に、更に接続方式と帯域幅の要求により、イーサーネット接続と電力線ネットワーク接続と無線LAN 接続との接続優先度を設定し、前記選択設定ファイルユニットに保存する優先度設定のプロセスとを有することを特徴とする通信接続適応方法である。
【００１４】
上述した技術に基づいた本発明は、次の効果を有する。
ネットワーク接続通信処理装置により、イーサーネット接続、PLC 接続、無線LAN 接続等の接続方式を検出し、検出結果により接続方式を選択・適応することができる。その中の１種の接続方式が中断された場合、ネットワーク接続通信処理装置は素早く他の接続方式に切り替えられ、上位層通信の連続性を保証することができる。
【図面の簡単な説明】
【００１５】
【図１】本発明に係るネットワーク接続通信処理装置の基本構成を示すブロック図である。
【図２】本発明に係るネットワーク接続通信処理装置の詳細構成を示すブロック図である。
【図３】本発明に係るネットワーク接続通信処理システムの実施例の構成を示すブロック図である。
【図４】本発明に係る通信接続適応方法のフローチャートを示すブロック図である。
【発明を実施するための形態】
【００１６】
以下、図面と実施例を通じて、本発明の技術を詳細に説明する。
【００１７】
本発明は、新型のネットワーク接続通信処理装置を利用して家庭内部ネットワーク接続用のネットワーク接続通信処理システムを構築している。複数の有線・無線の接続方式を選択できると共に、各種の外部ネットワークと通信・接続でき、外部から内部ネットワークに対する制御の柔軟性を実現する。又、接続切替能力を具備するため、接続方式に故障があった通信設備を検出すると、他の利用可能な通信接続方式に自己適応・自動切換でき、制御の連続性を実現する。
【００１８】
図１は、本発明に係るネットワーク接続通信処理装置の基本構成を示すブロック図である。ネットワーク接続通信処理装置１は、内部ネットワーク接続を構築する内部インターフェースユニット１３と、中心コンポーネントとして、内部インターフェースユニット１３に接続され、通信接続の自動設定・切替を行う通信接続選択設定ユニット１２（ブロック図は図２に示す）という２つの基本要素から構成される。内部インターフェースユニット１３は、内部ネットワーク接続設備の状況により設定でき、PLC （Power Line Communication, 電力線ネットワーク接続）変復調ユニット１３１、イーサーネットインターフェース１３２、WLAN AP １３３及び光ファイバーアクセスユニット１３４等を含むことができる。前記コンポーネントの選択は通常、内部ネットワーク接続設備の接続能力と接続状況とに関連する。例えば、内部ネットワークは単一な接続方式を利用している場合、PLC 変復調ユニット１３１のみを含む内部インターフェースユニット１３を採用できる。電力線が隅々まで配線されている一般の家庭において、電力線によるデータ伝送は、コンセントに繋ぐだけで容易に実現できる技術で、利便性が極めて高い。PLC 変復調ユニット１３１は、データ信号及び電力搬送波信号に対する変復調動作を実行する。
【００１９】
複数の内部ネットワーク接続方式がある場合、例えば、内部ネットワークに、イーサーネットインターフェースを備える通信設備、又は無線LAN インターフェースを備える通信設備が存在する場合、PLC 変復調ユニット１３１とイーサーネットインターフェースユニット１３２とを含めた内部インターフェースユニット１３を採用できる。イーサーネットインターフェースユニット１３２によれば、イーサーネット方式でネットワーク接続設備を接続できる。前記通信接続選択設定ユニット１２は、予め設定された優先情報により、PLC 接続方式とイーサーネット接続方式とのどちらかを選択する。又は、イーサーネットインターフェース１３２及びWLAN AP １３３を含めた内部インターフェースユニット１３を採用しても良い。その場合の通信接続選択設定ユニット１２は、イーサーネット接続とWLAN接続とのどちらかを選択する。WLAN AP １３３によれば、無線方式で内部ネットワークにおけるネットワーク接続設備と通信できる。光ファイバーアクセスに対応するネットワーク接続設備もある場合、光ファイバーアクセスユニット１３４を内部インターフェースユニット１３に追加し、光ファイバー接続方式を通信接続選択設定ユニットの１つの選択肢にすることもできる。
【００２０】
図２は、本発明に係るネットワーク接続通信処理装置の詳細構成を示すブロック図である。通信接続選択設定ユニット１２は、内部インターフェースユニット１３に含まれたPLC 変復調ユニット１３１、イーサーネットインターフェース１３２、WLAN AP １３３及び光ファイバーアクセスユニット１３４等にそれぞれ接続され、内部ネットワークにおけるネットワーク接続設備が送信された信号を検出する複数の信号検出ユニット１２１と、信号検出ユニット１２１に接続され、ネットワーク接続設備の接続信号を確認し、当該ネットワーク接続設備の利用可能な接続方式を取得する接続確認ユニット１２２と、PLC 方式やイーサーネット方式や光ファイバーアクセス方式の利用優先度の選択設定を保存する選択設定ファイルユニット１２３と、接続確認ユニット１２２と選択設定ファイルユニット１２３に接続され、選択設定ファイルユニット１２３により対応する接続方式を選択し、内部ネットワーク及び外部ネットワークを接続する接続選択ユニット１２４とを含む。
【００２１】
図３は、本発明に係るネットワーク接続通信処理システムの実施例の構成を示すブロック図である。当該ネットワーク接続通信処理システムは、ネットワーク接続通信処理装置１を中心として、外部通信モジュールと家庭内部のネットワーク接続設備とを接続している。ユーザまたアプリケーションプラットフォームは、外部通信モジュールを介してホームネットワークを制御・管理できるため、ホームネットワークの制御能力が外部まで延長されている。外部ネットワークの種類が非常に多くて、例えば、ADSLアクセスシステム、イーサーネットアクセスシステム、光ファイバーアクセスシステム、無線ブロードバンドアクセスシステム、ケーブルテレビシステム、住宅団地ネットワーク接続サービスシステム及び固定電話線アクセスシステム等がある。上記全ての外部ネットワークは、外部通信モジュール２により、ホームネットワークに接続できる。外部通信モジュール２は、内部イーサーネット信号を処理する能力を備え、イーサーネット信号及び外部ネットワーク信号の相互変換を実行できる。
【００２２】
内部ネットワークは、複数のネットワーク接続設備１〜ｎから構成される。ネットワーク接続設備は、パーソナルコンピュータ、セットコンポ・テレビ、撮影カメラ・マルチメディア通信設備等の端末設備であっても良い。ネットワーク接続通信処理装置１に接続する場合に、接続方式はネットワーク接続通信処理装置１の内部インターフェースユニット１３の構成により設定できる。内部インターフェースユニット１３がイーサーネットインターフェース１３２を含む場合、ネットワーク接続設備ｘ３′は、カテゴリー５ツイストペア線を介してイーサーネットインターフェース１３２に接続できる。カテゴリー５ツイストペア線を利用する有線方式は、高速及び高帯域幅の長所を備えるため、汎用な接続設定としても良い。内部インターフェースユニット１３がWLAN AP １３３を含む場合、ネットワーク接続設備ｙ３″は無線方式でWLAN AP １３３に接続できる。内部インターフェースユニットは、光ファイバーアクセスユニット１３４を含む場合、ネットワーク接続設備は、光ファイバーアクセス方式で光ファイバーアクセスユニット１３４に接続できる。
【００２３】
しかし、カテゴリー５ツイストペア線の配線作業は複雑度が高く、ネットワーク接続設備は無線通信能力を備えない可能性もあるため、既に整備されている電力線回線は、非常によい選択肢となる。家庭内部で、一番広く配線されている有線伝達メディアとして、低妨害性及び短伝送距離の特性があり、１００Mbpsの帯域幅の要求に満足でき、電源接続が必要とする大多数のネットワーク接続設備に対して、PLC 方式を採用して通信を行うことも考えられる。
【００２４】
PLC 方式で通信する場合に、ネットワーク接続設備３から送出されたデータ信号は、PLC モデム４を介して、電力搬送波信号に変調されてから、電力線回線に載せられる。同時に、電力搬送波信号はデータ信号に復調されてネットワーク設備に送信される。PLC 信号に対するフィルタリングと搬送作業とは内部インターフェースユニットにおけるPLC 変複調ユニットにより行う。アイソレータ５が外部電力網及び家庭内の電力網の間に設置され、低周波数電流と高周波数PLC 信号とを隔離し、高周波数PLC 信号の外部ネットワークへの出力及び外部高周波数PLC 信号がホームネットワークへの進入を阻止する。
【００２５】
図４は本発明に係る通信接続適応方法を示すフローチャートである。
ネットワーク接続設備がネットワーク接続通信処理システムに接続する場合に、ネットワーク接続通信処理装置は、前記ネットワーク接続設備の利用可能な通信接続方式を確認するステップ２０１と、ネットワーク接続通信処理装置は、予め設定された接続方式の優先度情報により、前記利用可能な通信接続方式の中から、１種の通信接続方式を選択し、当該ネットワーク接続設備のために設定する、即ち、当該選択された通信接続方式により、当該ネットワーク接続設備及び外部ネットワークの接続を確立するステップ２０２と、ネットワーク接続設備の接続方式に変化があった場合、ネットワーク接続通信処理装置は、予め設定された接続方式の優先度情報により、もう１種の利用可能な通信接続方式を再選択し、当該ネットワーク接続設備のために再設定する、即ち、当該再選択された通信接続方式により、当該ネットワーク接続設備と外部ネットワークの接続を確立するステップ２０３とを有することを特徴とする通信接続適応方法である。
【００２６】
本発明に係るネットワーク接続通信処理装置を利用し、ネットワーク接続設備に対して通信接続適応を行う前に、ネットワーク接続通信処理装置に、接続方式の優先度情報を設定する必要がある。
【００２７】
ステップ２０１において、ネットワーク接続設備は、ネットワーク接続通信処理装置の内部インターフェースユニットにより、ネットワーク接続通信処理システムに接続する。例えば、パソコンがネットワーク接続通信処理システムに接続する場合、信号検出ユニットは、パソコンの接続信号を検出し、ネットワーク接続通信処理装置の接続確認ユニットに通知する。接続確認ユニットは、パソコンの利用可能な通信接続方式を確認する。通常、イーサーネット接続方式が利用できるが、PLC ネットワークインターフェースカード、又は無線ネットワークインターフェースカード等の対応な通信接続部品が搭載される場合、接続確認ユニットは、それらの接続方式を利用可能な通信接続方式とする。ネットワーク接続設備がネットワーク接続通信処理システムに接続する場合、登録の方式でVLAN TAG標識を取得できる。それにより、外部設備がホームネットワークにおけるネットワーク接続設備へアクセスする際のセキュリティポリシー制御を実現する。
【００２８】
ステップ２０２において、ネットワーク接続通信処理装置の接続選択ユニットは、接続確認ユニットで確認された利用可能な通信接続方式と、予め設定された接続方式との優先度情報により、確定された制御方式信号を選択する。選択された制御方式信号により、対応する接続方式を選択し、ホームネットワーク及び外部ネットワークを接続する。例を挙げて説明すると、ネットワーク接続通信処理装置がPLC 、ツイストペア線、WLANの３種の接続方式に対応する場合、この３種の方式は、合わせて８種の接続方式確認ワードを構成できる。「１」で利用可能を表示する。「０」で利用不可を表示する。接続確認ユニットは、PLC 、ツイストペア線、WLANのすべてに対応できるパソコンであることを確認できた場合、接続方式確認ワード「１１１」が構成される。パソコンはツイストペア線のみに対応する場合、接続方式確認ワードは「０１０」となる。そのような接続方式確認ワードは、接続確認ユニットにより接続選択ユニットに送信された後、接続選択ユニットは、接続方式の優先度情報により、確定された制御方式信号を選択する。
【００２９】
接続方式の優先度情報は、通常、予め設定されたもので、メーカーより出荷時に設定されても良いし、ユーザ自身で設定されても良い。例えば、ユーザは、家庭内の設置状況により、各種接続方式の優先度を確定する。優先度の設定情報は、選択設定ファイルユニットに保存され、接続選択ユニットにより呼び出される。例えば、一番優先度が高いのはツイストペア線で、その次はPLC で、最後はWLAN、という順位に設定されている自動状態の場合、ネットワーク接続通信処理装置は、当該優先度順位によりネットワーク接続設備のために、最優先の利用可能な通信接続方式を設定する。しかし、強制的に接続方式を変換するという強制変換の状態において、ネットワーク接続通信処理装置により、予め設定された優先度で、ネットワーク接続設備に最優先な利用可能な通信接続方式を設定する代わりに、ユーザから指令（例えば、制御ワード）を送信する方式により、当該ネットワーク接続設備に、利用可能な通信接続方式を強制設定する。即ち、制御ワードにより制御方式信号を選択する。
【００３０】
ステップ２０３において、ネットワーク接続設備の接続方式は、現在の接続方式が、何の原因（停電、接続切断、ソフトウェア又はハードウェア故障等の原因）で中断され、変化が起きた場合、ネットワーク接続通信処理装置は、予め設定された接続方式の優先度情報により、もう１種の接続方式を選択し、ネットワーク接続設備のために再設定できる。又、ユーザから強制的に指定された低優先度の通信接続方式を受け入れることもできる。また前記パソコンの例で説明すると、ツイストペア線方式でネットワーク接続を行っている場合、ネットワーク接続中断が発生すると、接続方式は、自動的にPLC 方式に切り替えられる。接続が確立できなければ、その次のWLAN方式に切り替えられる。又、直接にWLAN方式に切り替えるように、ユーザから指定することもできる。
【００３１】
内部ネットワーク及び外部ネットワークを接続する目的は、主に、外部から内部に対する制御を達成することにある。ユーザは、固定電話網又は携帯電話網を介して、ホームネットワーク内の各種の家電機器を制御する。例えば、固定電話をダイヤルして発信することにより、通信インターフェース搭載の、無人管理状態にある洗濯機やエアコンの起動及び停止を制御する。又は、携帯電話により、家庭内の温度、湿度を確認して、エアコンの温度を調整することにより、室内の快適性を保証する等の適用が可能である。
【００３２】
本発明に係るネットワーク接続通信処理装置は、ホームゲートウェイ装置に統合され、ホームネットワークに用いられる以外に、LAN 内部での選択接続適応にも用いられる。同様に、LAN 内部で、１種の接続方式が中断された場合、素早く他の接続方式に切り替えさせ、上位層通信の連続性を確保する。
【００３３】
最後に注意するべきことは、上記実施例は本発明の技術的な解決手段の説明だけで、技術上の制限にはならない。本明細書では上述した実施例を参照し本発明を詳しく解説したが、当業者によって、上述した技術的な解決手段を改造し、またはその中の一部の技術要素を置換することもできる。そのような改造及び置換は本発明の各実施例の技術の範囲から逸脱するとは見なされない。
【手続補正２】
【補正対象書類名】特許請求の範囲
【補正対象項目名】全文
【補正方法】変更
【補正の内容】
【特許請求の範囲】
【請求項１】
内部ネットワーク及び外部通信ネットワークを接続する際の自動設定と自動切替とに用いる通信接続選択設定ユニットと、
前記通信接続選択設定ユニットに接続され、内部ネットワークにおけるネットワーク接続設備を接続する内部インターフェースユニットと
を有することを特徴とするネットワーク接続通信処理装置。
【請求項２】
前記通信接続選択設定ユニットに接続され、データ信号と電力搬送波信号とに対して変調復調操作を行い、及び前記データ信号と電力搬送波信号とに対してフィルタリングしたり搬送したりする電力線ネットワーク接続変復調ユニットを、前記内部インターフェースユニットは含むことを特徴とする請求項１記載のネットワーク接続通信処理装置。
【請求項３】
全てが前記通信接続選択設定ユニットに接続され、光信号に対して光電気信号変換を行う光ファイバーアクセスユニット、イーサーネットにより内部ネットワークにおけるネットワーク接続設備を接続するイーサーネットインターフェースユニット、及び／又は無線方式で内部ネットワークにおけるネットワーク接続設備と通信する無線LAN アクセスポイントを、前記内部インターフェースユニットは含むことを特徴とする請求項１記載のネットワーク接続通信処理装置。
【請求項４】
前記通信接続選択設定ユニットは、
前記内部インターフェースユニットに接続され、内部ネットワークにおけるネットワーク接続設備が各種の方式で送信された信号を検出する複数の信号検出ユニットと、
前記信号検出ユニットに接続され、検出された内部ネットワークにおけるネットワーク接続設備から送信された信号を確認する接続確認ユニットと、
接続方式の優先度情報を保存する選択設定ファイルユニットと、
前記接続確認ユニット及び前記選択設定ファイルユニットに接続され、保存された接続の優先度情報により、確認された各種接続方式から一つの接続方式を選定し、内部ネットワークにおける前記ネットワーク設備及び外部ネットワークを接続する接続選択ユニットと
を含むことを特徴とする請求項１記載のネットワーク接続通信処理装置。
【請求項５】
請求項１ないし４の何れかに記載のネットワーク接続通信処理装置と、
前記ネットワーク接続通信処理装置の通信接続選択設定ユニットに接続され、内部のイーサーネット信号を処理し、イーサーネット信号及び外部ネットワーク信号の変換を実行する外部通信モジュールと、
前記ネットワーク接続通信処理装置の内部インターフェースユニットに接続される複数のネットワーク接続設備と
を有することを特徴とするネットワーク接続通信処理システム。
【請求項６】
それぞれと前記複数のネットワーク接続設備に接続され、内部電力網を介して、前記内部インターフェースユニットに含まれた電力線ネットワーク接続変復調ユニットに接続され、データ信号と電力搬送波信号に対して変復調動作を行う複数の電力線ネットワーク接続モデムを更に有することを特徴とする請求項５記載のネットワーク接続通信処理システム。
【請求項７】
外部電力網と内部電力網との間で設置され、電力線における低周波数電流信号と高周波数データ信号とを隔離する電力線ネットワーク接続信号アイソレータを更に有することを特徴とする請求項５記載のネットワーク接続通信処理システム。
【請求項８】
ネットワーク接続設備がネットワーク接続通信処理システムに接続する場合に、ネットワーク接続通信処理装置は、前記ネットワーク接続設備の利用可能な通信接続方式を確認するステップ１と、
前記ネットワーク接続通信処理装置は、予め設定された優先度情報により、前記利用可能な通信接続方式の中から、１種の通信接続方式を選択すると共に、選択された当該通信接続方式により、当該ネットワーク接続設備及び外部ネットワークを接続するステップ２と、
前記ネットワーク接続設備に、接続方式の変化を検出した場合に、前記ネットワーク接続通信処理装置は、前記予め設定された優先度情報により、もう１種の利用可能な通信接続方式を再選択すると共に、当該再選択された通信接続方式により、当該ネットワーク接続設備及び外部ネットワークを接続するステップ３と
を有することを特徴とする通信接続適応方法。
【請求項９】
前記ステップ１にあって、ネットワーク接続設備が、内部インターフェースユニットを介して、ネットワーク接続通信処理システムに接続される場合に、信号検出ユニットは、前記ネットワーク接続設備の接続信号を検出し、接続確認ユニットに報告し、前記接続確認ユニットにより、前記ネットワーク接続設備の利用可能な通信接続方式を確認することを特徴とする請求項８記載の方法。
【請求項１０】
前記ステップ２にあって、接続選択ユニットは、選択設定ファイルユニットに保存された、予め設定された優先度情報により、前記利用可能な通信接続方式の中から一つの通信接続方式を選択し、内部ネットワークにおける当該ネットワーク接続設備及び外部ネットワークを接続することを特徴とする請求項８記載の方法。
【請求項１１】
前記ステップ１の前に、接続方式又は帯域幅の要求によりイーサーネット接続と電力線ネットワーク接続と無線接続との優先順位を設定し、前記選択設定ファイルユニットに保存する優先度設定のプロセスを更に有することを特徴とする請求項８記載の方法。
【請求項１２】
前記ステップ３にあって、信号検出ユニットが、前記ネットワーク接続設備の接続方式に変化があったことを検出した場合、前記接続選択ユニットは、前記予め設定された優先度情報により、もう１種の利用可能な通信接続方式を再選択して接続するか、又は、ユーザからの強制的に低優先度の通信接続方式を利用する指令を受け入れ、前記再選択した通信接続方式若しくは前記強制的に採用された通信接続方式により、前記ネットワーク設備及び外部ネットワークの接続を確立することを特徴とする請求項８記載の方法。
【国際調査報告】
2010525690.tif 000007
2010525690.tif 000008
2010525690.tif 000009
2010525690.tif 000010
2010525690.tif 000011